(57)【要約】【課題】装着感及び防漏性に優れたサイド防漏部を有する吸収性物品を提供すること。【解決手段】本発明の生理用ナプキン１は、液保持性の吸収層１１及び液不透過性の防漏層１２を有し、実質的に縦長の吸収性本体１０を備え、一対のサイド防漏部５，５により、吸収性本体１０における肌当接面側の長手方向両側部が覆われている。一対のサイド防漏部５，５それぞれは、サイド防漏部形成シート５０により、吸収性本体１０における幅方向の内方に折り返し端部５１としての内側縁部を有するように、該サイド防漏部形成シート５０が吸収性本体１０の幅方向の外方に折り返されて形成されている。折り返されたサイド防漏部形成シート５０間に中間層５０Ｃが配されており、該中間層５０Ｃは、サイド防漏部５の非肌当接面側を形成するサイド防漏部形成シート５０の部分からなる下層５０Ｂと接合されている。【選択図】図１
2008093128.tif 000002
【特許請求の範囲】
【請求項１】
吸収層及び防漏層を有し、実質的に縦長の吸収性本体を備え、一対のサイド防漏部により、前記吸収性本体における肌当接面側の長手方向両側部が覆われている吸収性物品であって、
一対の前記サイド防漏部それぞれは、サイド防漏部形成シートにより、前記吸収性本体における幅方向の内方に折り返し端部を有するように、該サイド防漏部形成シートが該幅方向の外方に折り返されて形成されており、
折り返された前記サイド防漏部形成シート間に中間層が配されており、
前記中間層は、少なくとも、前記サイド防漏部の肌当接面側を形成する前記サイド防漏部形成シートの部分からなる上層又は非肌当接面側を形成する該サイド防漏部形成シートの部分からなる下層と接合されている吸収性物品。
【請求項２】
前記中間層は、前記サイド防漏部における前記吸収性本体の前記幅方向の両端部間に亘り配されており、
前記サイド防漏部における前記幅方向の外方部においては、前記中間層と前記サイド防漏部形成シートとが、多数のエンボス部により接合されており、
前記サイド防漏部における前記幅方向の内方部においては、前記サイド防漏部形成シートには前記エンボス部が形成されていない請求項１記載の吸収性物品。
【請求項３】
前記中間層は、前記サイド防漏部における前記折り返し部の近傍には配されていない請求項１記載の吸収性物品。
【請求項４】
前記吸収性本体における前記長手方向の両側縁から延出する一対のウイング部を有しており、
前記上層及び前記中間層が、前記吸収性本体から延出しており、
一対の前記ウイング部それぞれは、前記上層又は／及び前記中間層から形成されている請求項１〜３の何れかに記載の吸収性物品。
【請求項５】
一対の前記ウイング部それぞれは、前記上層から形成されており、該ウイング部の非肌当接面側には、ウイング粘着部が形成されており、
前記中間層は、前記ウイング粘着部よりも前記吸収性本体における前記幅方向の外方には延出していない請求項４記載の吸収性物品。
【請求項６】
一対の前記ウイング部それぞれと前記中間層とは、エンボス加工による多数の接合部により接合されている請求項４又は５記載の吸収性物品。
【請求項７】
前記吸収性物品は、その長手方向が前方部、排泄部対向部及び後方部に区分されており、一対の前記ウイング部は、前記排泄部対向部に設けられており、該排泄部対向部における前記サイド防漏部の前記エンボス部のエンボス面積率は、前記ウイング部における前記接合部のエンボス面積率よりも小さい請求項６記載の吸収性物品。
【発明の詳細な説明】
【技術分野】
【０００１】
本発明は、生理用ナプキン、パンティライナー、失禁パッド等の吸収性物品に関する。
【背景技術】
【０００２】
従来、生理用ナプキン等の吸収性物品には、一対のサイド防漏部を設けたものがある。この種の吸収性物品は、吸収層及び防漏層を有する吸収性本体の両側部からの横漏れを防止するために、一対のサイド防漏部が、吸収性本体における肌当接面側の両側部に設けられている。これにより、吸収性物品の肌当接面側における長手方向両側部に液の拡散を抑制する領域が形成され、場合によっては立体的な壁が形成され、液が横方向へ移動することが防止されている。
【０００３】
例えば、特許文献１には、吸収層及び防漏層を有する吸収性本体を備え、実質的に縦長であり、一対のサイド防漏部が、吸収性本体における肌当接面側の長手方向両側部に設けられており、サイド防漏部は、熱可塑性繊維で形成された不織布または熱可塑性繊維を含む不織布と、縦方向に弾性収縮力を発揮する弾性部材とを有し、サイド防漏部を構成する不織布には、波の頂部と底部が基端から自由端に向けて延び且つ波が縦方向に規則的に繰り返す凹凸皺が成形された剛性領域が設けられており、且つサイド防漏部の基端と自由端との中間領域には、凹凸皺が不連続となる剛性境界部が縦方向に延びるように形成されている生理用ナプキンが開示されている。
【０００４】
また、特許文献２には、吸収層及び防漏層を有する吸収性本体を備え、実質的に縦長であり、一対のサイド防漏部が、吸収性本体の両側に設けられており、サイド防漏部は、ループ形状を有しており、該ループ形状の内部に防漏層が延出している生理用ナプキンが開示されている。
【０００５】
【特許文献１】特開２００１−２５２３０６号公報
【特許文献２】特表平７−５０２４３８号公報
【発明の開示】
【発明が解決しようとする課題】
【０００６】
特許文献１に記載の生理用ナプキンにおけるサイド防漏部は、ナプキン着用時に、主として中間領域で折れ曲がるため、着用者の様々な動きや姿勢の変化に追従し切れないため、装着感に劣ると考えられる。
【０００７】
従って、本発明の目的は、装着感及び防漏性に優れたサイド防漏部を有する吸収性物品を提供することにある。
【課題を解決するための手段】
【０００８】
本発明は、吸収層及び防漏層を有し、実質的に縦長の吸収性本体を備え、一対のサイド防漏部により、前記吸収性本体における肌当接面側の長手方向両側部が覆われている吸収性物品であって、一対の前記サイド防漏部それぞれは、サイド防漏部形成シートにより、前記吸収性本体における幅方向の内方に折り返し端部を有するように、該サイド防漏部形成シートが該幅方向の外方に折り返されて形成されており、折り返された該サイド防漏部形成シート間に中間層が配されており、該中間層は、少なくとも、前記サイド防漏部の肌当接面側を形成する前記サイド防漏部形成シートの部分からなる上層又は非肌当接面側を形成する該サイド防漏部形成シートの部分からなる下層と接合されている吸収性物品を提供することにより、上記目的を達成したものである。
【発明の効果】
【０００９】
本発明のサイド防漏部を有する吸収性物品によれば、装着感及び防漏性に優れている。
【発明を実施するための最良の形態】
【００１０】
以下、本発明の吸収性物品をその好ましい実施形態に基づいて、図面を参照しながら説明する。
【００１１】
第１実施形態の吸収性物品１は生理用ナプキンであり、図１〜３に示すように、液保持性の吸収層１１及び液不透過性の防漏層１２を有し、実質的に縦長の吸収性本体１０を備え、一対のサイド防漏部５，５により、吸収性本体１０における肌当接面側の長手方向両側部が覆われている。ナプキン１における吸収層１１は、液透過性の表面シート２及び液保持性の吸収体４からなり、防漏層１２は、通気性及び液不透過性を有する裏面シート３からなる。
また、本実施形態の生理用ナプキン１において、一対のサイド防漏部５，５それぞれは、サイド防漏部形成シート５０により、吸収性本体１０における幅方向の内方に折り返し端部５１を有するように、該サイド防漏部形成シート５０が吸収性本体１０の幅方向の外方に折り返されて形成されている。折り返されたサイド防漏部形成シート５０間に中間層５０Ｃが配されており、該中間層５０Ｃは、サイド防漏部５の非肌当接面側を形成するサイド防漏部形成シート５０の部分からなる下層５０Ｂと接合されている。
【００１２】
本実施形態の生理用ナプキン１（以下、単にナプキンともいう）について更に詳述する。ナプキン１は縦長であり、その長手方向が吸収性本体１０の長手方向（以下、本体長手方向ともいう）と一致している。表面シート２及び裏面シート３それぞれは、縦長であり、その長手方向が本体長手方向と一致している。吸収体４は、縦長であって、その長手方向が本体長手方向と一致しており、表面シート２及び裏面シート３間に狭持固定されている。表面シート２の幅は、吸収体４の幅と略同じであって、裏面シート３の幅よりも狭く形成されている。表面シート２は、吸収体４における肌当接面側の面全域を覆っている。表面シート２及び裏面シート３は、それぞれ吸収体４の長手方向両端から延出し、その延出部分において互いにヒートシール、接着剤による接着等の公知の接合方法により接合されている。
【００１３】
ナプキン１は、図１に示すように、その長手方向に前方部Ａ、該長手方向中央領域である排泄部対向部Ｂ（着用者の主として液排泄部に対向配置される排泄部対向領域を幅方向中央に有する部分）及び後方部Ｃ（着用者の主として臀部に対向配置される部分）に区分される。前方部Ａは、ナプキン着用時に、着用者の最も前側に位置する部位であり、後方部Ｃは、着用者の最も後側に位置する部位である。吸収性本体１０の前記排泄部対向領域は、縦長であり、その長手方向は本体長手方向と一致している。
【００１４】
本実施形態のナプキン１における一対のサイド防漏部５，５について、更に説明すると、一対のサイド防漏部５，５それぞれは、図１に示すように、縦長に形成されており、その長手方向が本体長手方向と一致している。一対のサイド防漏部５，５それぞれは、略同じ幅を有し、本体長手方向の両端部間に亘って配されている。
【００１５】
サイド防漏部５を形成するサイド防漏部形成シート５０は、図２に示すように、吸収性本体１０の側縁部において、シール部８により裏面シート３と接合されている。サイド防漏部５は、サイド防漏部形成シート５０が、吸収性本体１０の側縁部から吸収性本体１０の幅方向（以下、単に本体幅方向ともいう）の内方に向かって延び、折り返し端部５１としての内側縁部が形成されるように、吸収層１１に向かって本体幅方向の外方に折り返された後、本体幅方向の外方に向かって延びている。折り返されたサイド防漏部形成シート５０の先端部は、再びシール部８において、裏面シート３と接合されている。シール部８は、ヒートシール、接着剤による接着等の公知の接合手段により形成することができる。尚、シール部８は、サイド防漏部５には含まれない
本実施形態のナプキン１において、サイド防漏部形成シート５０は不織布から形成されている。
【００１６】
サイド防漏部５は、図２に示すように、本体幅方向における内方側の内方部５Ａと外方側の外方部５Ｂとに区分される。中間層５０Ｃは、サイド防漏部５における吸収性本体１０の幅方向の両端部間に亘り配されており、内方部５Ａ及び外方部５Ｂに亘り延在している。中間層５０Ｃは、上層５０Ａと下層５０Ｂとの間に介在されている。本実施形態のナプキン１において、中間層５０Ｃは不織布から形成されている。
【００１７】
中間層５０Ｃは、図２に示すように、吸収性本体１０の側縁部において、シール部８によりサイド防漏部形成シート５０と共に裏面シート３と接合されている。中間層５０Ｃは、吸収性本体１０の側縁部から本体幅方向の内方に向かって延び、折り返し部５１の近傍まで延在している。
【００１８】
中間層５０Ｃは、縦長であり、その長手方向が本体長手方向と一致している。中間層５０Ｃを平面視した形状は、サイド防漏部５と略同形である。
【００１９】
サイド防漏部５における本体幅方向の外方部５Ｂにおいては、図２に示すように、中間層５０Ｃとサイド防漏部形成シート５０とが、多数のエンボス部５２，５２…により接合されており、サイド防漏部５における本体幅方向の内方部５Ａにおいては、サイド防漏部形成シート５０にはエンボス部５２が形成されてなく、中間層５０Ｃとサイド防漏部形成シート５０とは接合されていない。
【００２０】
上層５０Ａと中間層５０Ｃとは、サイド防漏部５において接合されてなく、上層５０Ａと中間層５０Ｃとの間は、少なくとも部分的に離間していることが、サイド防漏部５のクッション性の観点から好ましい。
【００２１】
次に、サイド防漏部５の内方部５Ａについて、更に説明する。
内方部５Ａは、縦長であり、その長手方向は本体長手方向と一致している。内方部５Ａは、所定の幅を有し、サイド防漏部５の長手方向の両端部間に亘っている。
内方部５Ａには、エンボス部５２が形成されてなく、多数のエンボス部５２、５２…が形成されている外方部５Ｂと比べて剛性が低くなっている。
【００２２】
内方部５Ａにおける本体幅方向の一方の端部が、折り返し端部５１である。折り返し端部５１は、折り癖がつかないようにサイド防漏部形成シート５０が折り返されて形成されていることが好ましい。折り返し端部５１は、図２に示すように、丸みを帯びた形状を有しており、ナプキン着用者の肌に柔らかく接するため、サイド防漏部５はフィット性に優れている。
【００２３】
内方部５Ａは、３層の不織布（上層５０Ａ、下層５０Ｂ及び中間層５０Ｃ）からなる積層構造を有し、嵩高であり、クッション性が高められている。また、内方部５Ａは、その嵩高さから、表面シート２に対しての立体度が高く、サイド防漏部５の防漏性が高められている。
また、内方部５Ａにおいて、エンボス部５２が形成されてなく、相対向する上層５０Ａと下層５０Ｂとは、少なくとも部分的に離間しているため、サイド防漏部５は柔軟性、身体追従性及びクッション性に優れている。
【００２４】
次に、サイド防漏部５の外方部５Ｂについて、更に説明する。
外方部５Ｂは、図１に示すように、縦長であり、その長手方向は本体長手方向と一致している。外方部５Ｂは、所定の幅を有し、サイド防漏部５の長手方向の両端部間に亘っている。外方部５Ｂは、サイド防漏部５の内方部５Ａを除いた部分である。
【００２５】
外方部５Ｂにおいて、中間層５０Ｃと下層５０Ｂとは、図２及ぶ図３に示すように、多数のエンボス部５２，５２…により接合されており、サイド防漏部５の剛性が高められている。ナプキン着用時に内方部５Ａがめくれたりした場合にも、剛性の高い外方部５Ｂは変形されにくいため、サイド防漏部５が本体幅方向の全体に亘りめくれることが防止される。
【００２６】
外方部５Ｂにおけるエンボス部５２は、図３に示すように、いわゆる千鳥状のパターンで配されており、個々のエンボス部５２は、それぞれ平面視円形状で不連続に形成されている。
【００２７】
エンボス部５２の径は、０．５〜１０ｍｍ、特に１〜５ｍｍであることが、サイド防漏部５の肌触り、柔軟性及び強度の観点から好ましい。
また、最近接距離にあるエンボス部５２同士間の間隔（例えば中心間の間隔）は、本体長手方向に１〜１０ｍｍ、特に２〜５ｍｍ、本体幅方向に１〜１０ｍｍ、特に２〜５ｍｍであることが、同様の観点から好ましい。なお、エンボスの配置によっては中心間の間隔では、長手方向及び幅方向とならない場合もあるため、本体長手方向および本体幅方向は、エンボス同士を結ぶ長手方向線、幅方向線を仮想的に設定し、この仮想線と最近接距離にあるエンボス部５２の中心との間隔によって求める場合もある。
【００２８】
サイド防漏部５における内方部５Ａの幅は、２〜２０ｍｍ、特に５〜１０ｍｍであることが、外方部５Ｂと共に好ましい幅を有することになり、サイド防漏部５の優れた柔軟性及び身体追従性を得る上で好ましい。
【００２９】
サイド防漏部５について更に説明すると、サイド防漏部５は、シール部８よりも本体幅方向における内方側の部分が、表面シート２とは接合されていないことが好ましい。ただし、本体長手方向の両端部では、折り返し端部５１とシール部８との間の部分が、本体幅方向に亘って又は折り返し端部５１近傍で表面シート２と接合されていることが好ましい。
【００３０】
サイド防漏部５の折り返し端部５１は、表面シート２から少なくとも部分的に離間していることが、サイド防漏部５が立体的な障壁を形成する上で好ましい。また、内側縁部としての折り返し端部５１は、後述する溝７が形成されていることにより、表面シート２が溝７周囲で沈み込むため、表面シート２に対するサイド防漏部５の立体度が増しており、本体幅方向内方から外方へ向かって、表面シート２上を流れてきた体液の移動を効果的に防止する。
【００３１】
前述した一対のサイド防漏部５，５それぞれの幅は、以下のような寸法を有していることが、良好な防漏性及び装着感を得る上で好ましい。本体長手方向における一対のウイング部６，６（後述する）が設けられている部分において、そのウイング部６の長手方向中心線上で、シール部８と本体幅方向の内方側の端縁との間を、本体幅方向にサイド防漏部５の表面に沿って測定した長さは、１０〜３０ｍｍ、特に１５〜２５ｍｍであることが好ましい。
【００３２】
本実施形態のナプキン１について、更に説明すると、図１に示すように、吸収性本体１０における長手方向の両側縁から延出する一対のウイング部６，６を有しており、一対の該ウイング部６，６それぞれは、吸収性本体１０から延出するサイド防漏部形成シート５０から形成されている。一対のウイング部６，６は、排泄部対向部Ｂに形成されている。
【００３３】
一対のウイング部６、６それぞれと、本体長手方向の同じ側のサイド防漏部５とは、一枚のサイド防漏部形成シート５０から一体的に形成されている。一枚のサイド防漏部形成シート５０は、シール部８を境にして、サイド防漏部５とウイング部６とに分かれている。詳述すると、上層５０Ａが、吸収性本体１０から延出しており、一対のウイング部６，６それぞれは、上層５０Ａから形成されている。
【００３４】
シール部８の形状は、連設しているウイング部６が、ショーツ股下部の縁部に沿って折り曲げられた時に、該ショーツ股下部の縁部とフィットし易いように、長手方向の中央部において、本体幅方向内方に括れた形状を有している。また、排泄部対向部Ｂにおいて、ウイング部６と連設している外方部５Ｂの部分は、シール部８の形状に沿って本体幅方向内方に括れた形状を有している。
【００３５】
一対のウイング部６，６それぞれを構成するサイド防漏部形成シート５０の片面には、ショーツ股下部の縁部に沿って折り曲げたウイング部６を、該ショーツの外表面に固定するためのウイング粘着部６ａが設けられている。
【００３６】
また、中間層５０Ｃが、図２に示すように、吸収性本体１０における長手方向の両側縁から延出しており、一対のウイング部６，６それぞれと中間層５０Ｃとは、エンボス加工による多数の接合部５９，５９…により接合されている。ウイング部６における本体幅方向の内方部において、中間層５０Ｃが、ウイング部６の非肌当接面側を形成している。
【００３７】
このように、中間層５０Ｃが、吸収性本体１０の内方から外方へ亘り、シール部８を跨いで延在しウイング部６の一部を形成していることにより、ウイング部６における基部近傍の強度が高められており、ナプキン着用時に、ウイング部６が引っ張られた際に、ウイング部６の基部近傍が破れたりすることが防止されている。
【００３８】
一方、中間層５０Ｃは、図２に示すように、ウイング部６の非肌当接面に形成されたウイング粘着部６ａよりも吸収性本体１０における幅方向の外方には延出していない。ウイング粘着部６ａは、中間層５０Ｃの非肌当接面に粘着剤が塗布されて形成されており、ウイング粘着部６ａ及び中間層５０Ｃそれぞれの本体幅方向の外方側の端縁が揃っている。
ウイング部６における本体幅方向の外方部は、サイド防漏部形成シート５０のみから形成されているため、柔軟性が高く、ウイング部６の操作性に優れている。
【００３９】
ウイング部６における接合部５９は、図３に示すように、いわゆる千鳥状のパターンで配されており、個々の接合部５９は、それぞれ平面視円形状で不連続に形成されている。
【００４０】
接合部５９の径は、エンボス部５２よりも大きいことが好ましく、具体的には１〜１５ｍｍ、特に１．５〜１０ｍｍであることが、ウイング部６の強度及び肌触りの観点から好ましい。
最近接距離にある接合部５９同士間の間隔（例えば中心間の間隔）は、本体長手方向に１〜１０ｍｍ、特に２〜５ｍｍ、本体幅方向に１〜１０ｍｍ、特に２〜５ｍｍであることが、同様の観点から好ましい。
【００４１】
また、排泄部対向部Ｂにおけるサイド防漏部５のエンボス部５２のエンボス面積率は、ウイング部６における接合部５９のエンボス面積率よりも小さいことが、柔軟な感触の肌触りの観点から好ましく、ウイング部の粘着剤の定着性の観点から、ウイング部のエンボス面積率が大きい、具体的には、１０〜５０％程度であることが好ましい。
【００４２】
ここで、エンボス面積率は、エンボスの底部面積を意味し、ＮＥＸＵＳ製画像解析システム（Ｖｅｒ．４．２）を使用して計測する。
【００４３】
具体的には、排泄部対向部Ｂにおいて、サイド防漏部５のエンボス面積率は、ウイング部６のエンボス面積率に対して、５〜５０％、特に１０〜３０％多いことが前述した観点から好ましい。
【００４４】
本実施形態のナプキン１において、サイド防漏部５のエンボス部５２と、ウイング部６における接合部５９とは、最近接距離にあるエンボス部５２又は接合部５９同士間の間隔（例えば中心間の間隔）が、本体幅方向及び本体長手方向において等しく、且つエンボス部５２の径が接合部５９の径よりも小さいので、排泄部対向部Ｂにおけるサイド防漏部５のエンボス面積率は、ウイング部６におけるエンボス面積率よりも小さい。
【００４５】
また、ナプキン１における吸収性本体１０の肌当接面側には、図１に示すように、溝７が設けられている。溝７は、本体長手方向に延びる一対のエンボス溝、及び該エンボス溝の長手方向の両端部において、本体幅方向に延びるエンボス溝とから形成されている。溝７は、排泄部対向部Ｂの前後端部間に亘り延びるように形成されている。本体長手方向に延びる一対の前記エンボス溝それぞれは、本体幅方向の外方に向って凸に湾曲する部分が本体長手方向に３つ連なった形状を有している。
【００４６】
また、本体幅方向に延びる前記エンボス溝は、本体長手方向外方に向って、凸な形状を有している。溝７によって、表面シート２及び吸収体４が接合されている。サイド防漏部５の折り返し端部５１は、図２に示すように、溝７のすぐ外側に位置している。
【００４７】
次に、本実施形態のナプキン１を形成する材料について説明する。
まず、サイド防漏部形成シート５０を形成する不織布としては、従来公知の不織布を特に制限なく用いることができる。例えば、カード法により製造された熱融着繊維ウエブを熱風処理して得られるエアスルー不織布、スパンボンド不織布、メルトブローン不織布、スパンレース不織布及びニードルパンチ不織布等の種々の不織布を用いることができる。これらの不織布における繊維の結合手段に特に制限はなく、例えば、バインダーによる結合や熱融着による結合を用いることができる。また、繊維の結合に代えて、スパンレース不織布等のように繊維の機械的な絡合を利用してもよい。サイド防漏部５に、滑らかな肌触りや、柔らかさを顕著に実現するためには、不織布として、カード法により得られた熱融着繊維ウエブを熱風処理し、強固な圧縮を与えずに不織布化したエアスルー不織布が最も好適に用いられる。
【００４８】
サイド防漏部形成シート５０を形成する不織布の坪量は、２０〜１００ｇ／ｍ2、特に２５〜５０ｇ／ｍ2であることが、サイド防漏部５の立体性が高められて防漏性が向上すると共に、サイド防漏部５の良好な装着感を得る上で好ましい。
【００４９】
坪量の測定は、例えば、以下のようにして測定される。サイド防漏部形成シート５０を１０ｍｍ×１０ｍｍ以上、好ましくは３０ｍｍ×３０ｍｍ以上の大きさに裁断し、一つのナプキンから合計面積が２５０ｍｍ2以上の測定片を採取し、この測定片の重量を最小表示１ｍｇの電子天秤を用いて測定し坪量に換算することで求める。坪量の測定精度を高めるために、複数のナプキンより測定片を採取し、５点以上の計測値の平均を求めることが好ましい。
【００５０】
中間層５０Ｃを形成する不織布としては、前述したサイド防漏部形成シート５０と同様のものを用いることができる。本実施形態のように、中間層５０Ｃが、ウイング粘着部６が粘着される部位として用いられる場合には、中間層５０Ｃを形成する不織布として、ウイング粘着部６ａとの粘着性が高い材料を選択することが、ウイング部６をショーツ等から外した際に、ウイング粘着部６ａの一部がショーツ側に残るいわゆる糊残りを防止する上で好ましい。このような観点から、不織布としてスパンボンド不織布が好ましい。
また、中間層５０Ｃの形成材料として、カード法により製造された熱融着繊維ウエブを用いることも好ましい。
【００５１】
表面シート２、裏面シート３又は吸収体４の形成材料としては、生理用ナプキン等の吸収性物品において従来用いられている各種材料を特に制限することなく用いることができる。
【００５２】
次に前述した実施形態の生理用ナプキンの変形例を、図４を参照しながら以下に説明する。変形例について、特に説明しない点については、前述した実施形態に関して詳述した説明が適宜適用される。また、図４において、図１〜３と同じ部材に同じ符号を付してある。
【００５３】
図４に示す変形例の生理用ナプキン１において、中間層５０Ｃは、サイド防漏部５における折り返し部５１の近傍には配されていない。本変形例における中間層５０Ｃの本体幅方向の長さは、前述した実施形態の中間層よりも短い。
中間層５０Ｃにおける本体幅方向の内方側の端部５１Ｃは、サイド防漏部５を本体幅方向に２分した場合における外方側の部分に位置している。一方、中間層５０Ｃにおける本体幅方向の外方側の端部は、ウイング部６の基部近傍まで延出しており、ウイング粘着部６ａにおける本体幅方向の内方側の端部に隣接している。
【００５４】
本変形例におけるウイング粘着部６ａは、サイド防漏部形成シート５０の非肌当接面に粘着剤が塗布されて形成されている。
【００５５】
本変形例によれば、中間層５０Ｃの本体幅方向の長さが短いものの、前述した実施形態と同様に、ウイング部６における基部近傍の強度が高められている。
【００５６】
本発明は、前述した実施形態に制限されることなく、本発明の趣旨を逸脱しない限り適宜変更が可能である。
例えば、本発明の吸収性物品において、一対のサイド防漏部５，５は、吸収性本体１０の全長に亘って形成されていることが好ましいが、少なくとも排泄部対向領域の前後端部に亘り形成されていれば良い。本実施形態において、サイド防漏部５における中間層５０Ｃは、下層５０Ｂと接合されていたが、上層５０Ａと接合されていても良い。
また、本実施形態において、一対のウイング部６，６それぞれは、上層５０Ａから形成されていたが、中間層５０Ｃのみから形成されていても良いし、上層５０Ａ及び中間層５０Ｃから形成されていても良い。
【００５７】
本発明の吸収性物品は、生理用ナプキンであっても良いが、パンティライナー、失禁パッド等であっても良い。
前述した一の実施形態のみが有する部分は、すべて適宜相互に利用できる。
【図面の簡単な説明】
【００５８】
【図１】図１は、本発明の吸収性物品としての生理用ナプキンの一実施形態を示す斜視図である。
【図２】図２は、図１におけるＸ−Ｘ線断面図である。
【図３】図３は、図１に示す生理用ナプキンの排泄部対向部におけるサイド防漏部及びウイング部を拡大して示す平面図である。
【図４】図４は、本発明の吸収性物品の変形例を示す図２に相当する断面図である。
【符号の説明】
【００５９】
１    生理用ナプキン（吸収性物品）
１０  吸収性本体
１１  吸収層
１２  防漏層
２  表面シート
３  裏面シート
４  吸収体
５  サイド防漏部
５０  サイド防漏部形成シート
５０Ａ  上層
５０Ｂ  下層
５０Ｃ  中間層
５１  折り返し端部
５１Ｃ  中間層の端部
５２  エンボス部
５９接合部
６  ウイング部
６ａ  ウイング粘着部
７  溝
８  シール部
Ａ    前方部
Ｂ    排泄部対向部
Ｃ    後方部
【図１】
2008093128.tif 000003
【図２】
2008093128.tif 000004
【図３】
2008093128.tif 000005
【図４】
2008093128.tif 000006